(57)【特許請求の範囲】
【請求項１】
機器を支持する取付台と、前記取付台を支持し、前記取付台と着脱可能な支持板と、前記取付台の下面に突出して設けられた係止部と、前記支持板に設けられて前記係止部を挿入可能な係止穴と、前記取付台と前記支持板のそれぞれに設けられて互いに選択的に嵌合する位置決め用の凸部と凹部とを備え、前記取付台の係止部が、頭部に水平方向の棒を有するＴ字形係止部として形成され、前記支持板の係止穴が、前記水平方向の棒を挿入可能なスリット状に形成され、機器取付時には前記取付台の下面と前記係止部との間で前記支持板を挟持することを特徴とする電子機器取付装置。
【請求項２】
前記取付台が、一方の面に前記Ｔ字形係止部を有し、他方の面に嵌合凹部を有する取付台座と、前記取付台座の嵌合凹部に着脱することが可能な嵌合凸部を有する機器保持部とからなることを特徴とする請求項１記載の電子機器取付装置。
【請求項３】
前記取付台座は、前記Ｔ字形係止部を有する取付面が前記取付面とは反対側の前記嵌合凹部を有する面に対して傾斜していることを特徴とする請求項２記載の電子機器取付装置。
【請求項４】
前記取付台座の嵌合凹部が一対の保持片からなり、前記機器保持部の嵌合凸部が、前記一対の保持片の間に挿入可能な正四角形に形成されていることを特徴とする請求項２または請求項３記載の電子機器取付装置。
【請求項５】
前記支持板が平板であることを特徴とする請求項１から請求項４のいずれかに記載の電子機器取付装置。
【請求項６】
前記支持板が弾性を有するＵ字形に形成されたクリップであることを特徴とする請求項１から請求項５のいずれかに記載の電子機器取付装置。
【請求項７】
前記機器が車載装置のマイクであることを特徴とする請求項１から請求項６のいずれかに記載の電子機器取付装置。
【発明の詳細な説明】
【０００１】
【発明の属する技術分野】
本発明は、マイクなどの小型の電子機器を取り付けるための電子機器取付装置に関する。
【０００２】
【従来の技術】
従来、車載ナビゲーション装置等においては、車両の運転中でも機器を操作できるように、音声により指示を与える音声入力用のマイクが使用されることがある。このようなマイクは、音声を発する搭乗者、主に運転者の近くに取り付けることが肝要であり、例えばサンバイザーに取り付けられる。図９は従来のサンバイザーに取り付けるためのマイク取付装置を示している。図９において、マイク１はマイクホルダ２の中に収容され、マイクホルダ２の後部からコード３が延びている。マイクホルダ２には支柱４の先に取付部５が一体に形成され、この取付部５にクリップ６の先端部が挿入されている。クリップ６は、板金により差込口側が狭まったＵ字形に形成されている。このクリップ６をサンバイザの前端部に挟み込むことにより、マイク１がサンバイザに取り付けられる。
【０００３】
【発明が解決しようとする課題】
しかしながら、上記従来のマイク取付装置では、マイクをサンバイザの前端部にしか取り付けることができないので、ユーザによっては、自分の頭の上にマイクが出っ張っているため、気に掛かるという人もいる。また、マイクをサンバイザの前端部に取り付けた場合に、そのコードをフロントピラーの縁に沿わせるまでの間に宙ぶらりんの状態があるため、気に掛かるというユーザもいる。
【０００４】
本発明は、このような従来の問題を解決するものであり、取付位置を自由に選択することのできる小型の電子機器を取り付けるための電子機器取付装置を提供することを目的とする。
【０００５】
【課題を解決するための手段】
上記目的を達成するため、本発明の電子機器取付装置は、機器を支持する取付台と、前記取付台を支持し、前記取付台と着脱可能な支持板と、前記取付台の下面に突出して設けられた係止部と、前記支持板に設けられて前記係止部を挿入可能な係止穴と、前記取付台と前記支持板のそれぞれに設けられて互いに選択的に嵌合する位置決め用の凸部と凹部とを備え、機器取付時には前記取付台の下面と前記係止部との間で前記支持板を挟持することを特徴とする。この構成により、取付台の係止部を支持板の係止穴に挿入して回転させることにより、それぞれの位置決め用凸部と凹部とが係合、離脱して、取付台を支持板に対して種々の方向に位置決めすることができ、機器の取付位置を自由に設定することができる。
【０００６】
また、本発明の電子機器取付装置は、前記位置決め用の凸部と凹部とが、前記取付台と前記支持板のそれぞれの接触面に形成され、前記凸部の数が前記凹部の数よりも少ないことを特徴とする。この構成により、凸部と凹部が係合する際には、必ずどの凸部もいずれかの凹部に係合することになり、凸部と凹部の係脱を確実にすることができる。
【０００７】
また、本発明の電子機器取付装置は、前記取付台の係止部が、頭部に水平方向の棒を有するＴ字形係止部として形成され、前記支持板の係止穴が、前記水平方向の棒を挿入可能なスリット状に形成されていることを特徴とする。この構成により、支持板に設ける係止穴がスリット状の狭い範囲に限定できるので、残りの広い範囲に位置決め用の凸部と凹部を設けることができ、取付台の回転調整角度を大きく取ることができる。
【０００８】
また、本発明の電子機器取付装置は、前記取付台が、一方の面に前記Ｔ字形係止部を有し、他方の面に嵌合凹部を有する取付台座と、前記取付台座の嵌合凹部に着脱することが可能な嵌合凸部を有する機器保持部とからなることを特徴とする。この構成により、機器を保持した機器保持部を取付台座に対して取り外すことができる。
【０００９】
また、本発明の電子機器取付装置は、前記取付台座が、前記Ｔ字形係止部を有する取付面が前記取付面とは反対側の前記嵌合凹部を有する面に対して傾斜していることを特徴とする。この構成により、機器を保持した機器保持部を取付台座に対して斜め下向きに取り付けることができ、機器を下方に向けることができる。
【００１０】
また、本発明の電子機器取付装置は、前記取付台座の嵌合凹部が一対の保持片からなり、前記機器保持部の嵌合凸部が、前記一対の保持片の間に挿入可能な正四角形に形成されていることを特徴とする。この構成により、機器を横方向にも取り付けることができ、機器の取付方向の範囲を広げることができる。
【００１１】
また、本発明の電子機器取付装置は、前記取付台の係止部が、前記取付台または前記取付台座に一体に形成されていることを特徴とする。この構成により、部品点数および組付工数を低減することができる。
【００１２】
また、本発明の電子機器取付装置は、前記支持板が平板であることを特徴とする。この構成により、支持板を両面接着テープ等を使用して相手部材に取り付けることができる。
【００１３】
また、本発明の電子機器取付装置は、前記支持板が弾性を有するＵ字形に形成されたクリップであることを特徴とする。この構成により、支持板を相手部材に挟んで取り付けることができる。
【００１４】
また、本発明の電子機器取付装置は、前記機器が車載装置のマイクであることを特徴とする。この構成により、例えば車載ナビゲーション装置の音声入力用のマイクを、運転者近傍の任意の位置に、運転者の方向に向けて取り付けることができる。
【００１５】
【発明の実施の形態】
以下、本発明の実施の形態について図面を参照して説明する。図１は本発明の実施の形態におけるマイク取付装置の組立斜視図、図２は同マイク取付装置の分解斜視図、図３は同マイク取付装置の上下逆の角度から見た分解斜視図である。図１および図２において、マイク１１は機器保持部であるマイクホルダ１２の中に収容され、マイクホルダ１２の後部からコード１３が延びている。マイクホルダ１２には支柱１４が一体に形成され、支柱１４の先端部に正四角形の嵌合凸部１５が形成されている。嵌合凸部１５の各４面には同じ大きさの矩形穴１５ａが形成されている。この嵌合凸部１５は、取付台座１６の一方の面に形成された嵌合凹部となる一対の支持片１６ａ、１６ｂの間に挿入される。支持片１６ａと１６ｂとの間の寸法は、嵌合凸部１５の各面の幅寸法よりも少し大きく、その内側には、嵌合凸部１５の矩形穴１５ａに係合する係止突起が形成されている。さらに、支持片１６ａと１６ｂに隣接する一方側には、別の支持片１６ｃが形成され、この支持片１６ｃの先端部には、内側方向に向けて係止突起１６ｄが形成されている。取付台座１６の取付面１６ｅは、その反対側の面に対して３０度程度傾斜しており、その中心部から支柱１７ａが突出してその先端部に水平方向の棒１７ｂを有するＴ字形係止部１７が一体に形成されている。Ｔ字形係止部１７の突出量は、取付台座１６の環状の取付面１６ｅから水平方向の棒１７ｂの下面までの距離が、支持板であるクリップ１９の折り返し片１９ａの厚さよりも少し大きい程度に設定されている。取付台座１６の環状の取付面１６ｅには、中心から等距離の位置に４個の半球状の位置決め凸部１８が形成されている。クリップ１９は、差込口側が狭まったＵ字形に形成されており、一方の折り返し片１９ａにはスリット状の係止穴２０が形成されている。係止穴２０は、Ｔ字形係止部１７の支柱１７ａが緩く通過可能な丸穴２０ａと、Ｔ字形係止部１７の水平方向の棒１７ｂが緩く通過可能な長穴２０ｂとで構成されている。係止穴２０の周囲には、図３に示すように、中心から等距離に３０度間隔で片側５個ずつ計１０個の半球状の位置決め凹部２１が形成されている。また、クリップ１９の差込口内側には、滑り止め突起２２が形成され、そこにはコード支持溝２３が形成されている。上記した各部は、マイク１１およびコード１３を除いて、全て樹脂材料により形成されており、Ｔ字形係止部１７およびクリップ１９は、その樹脂材料の物性により弾性を有する。
【００１６】
次に、上記マイク取付装置の組み立てについて説明する。図３において、まず取付台座１６を、そのＴ字形係止部１７をクリップ１９の係止穴２０に位置を合わせて挿入し、取付台座１６を９０度回転させて、取付台座１６の支持片１６ａと１６ｂを有する傾斜面がクリップ１９の差込口側に向くようにする。この状態では、図４に示すように、取付台座１６は、その下面１６ｅとＴ字形係止部１７の水平方向の棒１７ｂとの間で、クリップ１９の折り返し片１９ａを挟持することになる。次に、マイク１１をクリップ１９の折り返し側に向けて、マイクホルダ１２の嵌合凸部１５を取付台座１６の支持片１６ａ、１６ｂの間に横方向から圧入し、嵌合凸部１５の係止穴１５ａを取付台座１６の支持片１６ａ、１６ｂの内側の係止突起および支持片１６ｃの係止突起１６ｄに嵌合させる。このようにして組み立てたマイク取付装置を、図５に示すように、コード１３をクリップ１９のコード支持溝２３に支持させて、クリップ１９を車両内の運転者上方のサンバイザ２４の前端部に差し込み、コード１３をフロントピラーの縁部に這わせて、シートの下やトランクルーム等の配置されたナビゲーション装置本体まで導く。そして、マイク１１が運転者の方に向くように、マイクホルダ１２を持って取付台座１６をクリップ１９に対して回転させることにより左右の方向を調整する。取付台座１６をクリップ１９に対して回転させると、取付台座１６の位置決め凸部１８が、嵌合してクリップ１９の位置決め凹部２１を乗り上げて、隣またはその隣の位置決め凹部２１に嵌り込むことにより、その位置での位置決めが行われる。位置決め凹部２１は、１２０度の範囲に３０度間隔で設けられているので、左右それぞれ３０度、６０度の間隔で調整することができる。図６は調整によりマイク１１を横方向に向けた例を示す。取付位置によっては、位置決め凸部１８と位置決め凹部２１との位置調整だけでは調整範囲が不足する場合は、マイクホルダ１２を取付台座１６から取り外して、改めてマイクホルダ１２を取付台座１６に対して直角に向くように取り付けることにより、その直角方向を中心に左右それぞれ３０度、６０度の向きに調整することができる。
【００１７】
上記した取付方法は、このマイク取付装置をサンバイザ２４の前端部に取り付けた例であるが、図７に示すように、マイク１１がクリップ１９の差込口側に向くように取付台座１６をクリップ１９に取り付け、クリップ１９をサンバイザ２４の後端部から差し込んで取り付けることができる。この場合には、このマイク取付装置がサンバイザの後側に位置するので、運転者から見てあまり邪魔になることがなく、またコード１３のフロントピラーへの引き回しも体裁よく行うことができる。そして同様に、マイク１１が運転者の方に向くように、サンバイザ２４で上下の調整を行い、マイクホルダ１２を持って取付台座１６をクリップ１９に対して回転させることにより左右の方向を調整する。図８はこの状態でマイク１１を横方向に調整した例を示す。
【００１８】
このように、本実施の形態によれば、マイク１１を保持するマイクホルダ１２と取付台座１６とクリップ１９とをそれぞれ着脱可能かつ位置調整可能に構成したので、マイク１１の向きを任意の方向に調整することができ、ユーザの使用に適した方向にマイクを向けることができるので、使い勝手がよくなるとともに、コードの引き回しも容易に行うことができる。
【００１９】
なお、上記実施の形態では、マイク１１を支持する取付台を、マイクホルダ１２と取付台座１６とで着脱可能なツーピース構造としたが、これらを分離できない一体構造としてもよい。また、取付台座１６の係止部が、頭部に水平方向の棒を有するＴ字形係止部１７として形成されているが、棒の代わりに板状のＴ字形係止部であってもよい。また、位置決め用凸部１８が取付台座１６に形成され、位置決め凹部２１がクリップ１９に形成されているが、取付台座１６に位置決め凹部を形成し、クリップ１９に位置決め凸部を形成するようにしてもよい。その場合にも、凸部の数が凹部の数よりも少ないことが必要となる。何故なら、この逆では、凹部と嵌合しない凸部が残存することにより、他の凸部が凹部に嵌合できなくなるからである。また、位置決め凸部と凹部の形状は、半球状でなくてもよい。
【００２０】
また、上記実施の形態では、マイクホルダ１２の嵌合凹部１５を取付台座１６の一対の支持片１６ａ、１６ｂの間に横方向から着脱するようにしたが、上下方向から着脱する構造であってもよい。また、マイク取付装置の支持板をクリップ１９として構成したが、１枚の平板として構成することもできる。この場合には、その支持板を両面接着テープ等により、例えば車両のハンドル後方部分のステアリングコラムカバー等の上に取り付けることができ、運転者の邪魔にならない位置にマイクを配置することができる。また、取り付ける電子機器として車載ナビゲーション装置の音声入力用マイクとしたが、道路沿いの景色をビデオカメラで撮影して、その映像を液晶ディスプレイに映し出すようにした装置に応用するなど、マイクの代わりに、またはマイクとともにＣＣＤビデオカメラ等の電子機器類を取り付けることもできる。
【００２１】
【発明の効果】
以上説明したように、本発明の電子機器取付装置は、機器を支持する取付台と、取付台を着脱可能に支持する支持板とを備え、取付台の下面に突出して設けられた係止部を支持板に設けられた係止穴に挿入して回転させることにより、取付台の下面と係止部との間で支持板を挟持するとともに、取付台と支持板のそれぞれに設けられた位置決め用の凸部と凹部とを選択的に嵌合させて位置決めするようにしたので、取付台を支持板に対して種々の方向に位置決めすることができ、機器の取付位置を自由に設定することができる。さらに、支持板に設ける係止穴がスリット状の狭い範囲に限定できるので、残りの広い範囲に位置決め用の凸部と凹部を設けることができ、取付台の回転調整角度を大きく取ることができる。
【図面の簡単な説明】
【図１】本発明の実施の形態におけるマイク取付装置の組立斜視図
【図２】本発明の実施の形態におけるマイク取付装置の分解斜視図
【図３】本発明の実施の形態におけるマイク取付装置の上下を逆にした分解斜視図
【図４】本発明の実施の形態におけるマイク取付装置の組立断面図
【図５】本発明の実施の形態におけるマイク取付装置の取付方法を示す斜視図
【図６】本発明の実施の形態におけるマイク取付装置の方向調整例を示す組立斜視図
【図７】本発明の実施の形態におけるマイク取付装置の別の取付方法を示す組立斜視図
【図８】本発明の実施の形態におけるマイク取付装置の方向調整例を示す組立斜視図
【図９】従来例におけるマイク取付装置の組立斜視図
【符号の説明】
１１  マイク
１２  マイクホルダ（機器保持部）
１３  コード
１４  支柱
１５  嵌合凸部
１６  取付台座
１６ａ、１６ｂ、１６ｃ  支持片（嵌合凹部）
１７  Ｔ字形係止部（係止部）
１８  位置決め凸部
１９  クリップ（支持板）
２０  係止穴
２１  位置決め凹部
２２  滑り止め部
２３  コード支持溝
【図１】
0003871958.tif 000002
【図２】
0003871958.tif 000003
【図３】
0003871958.tif 000004
【図４】
0003871958.tif 000005
【図５】
0003871958.tif 000006
【図６】
0003871958.tif 000007
【図７】
0003871958.tif 000008
【図８】
0003871958.tif 000009
【図９】
0003871958.tif 000010